(57)【要約】【課題】国際的業界標準に対応する測光情報又は測色情報を、単純な方法で正確に測定することを可能にするような、デバイス、システム、及びプログラムを提供する。【解決手段】一実施形態において、測定装置１は、画像の画像データを取得する撮像部１１と、画像データの撮影情報を使用して、該画像データを測光情報又は測色情報を含むデータに変換する、変換器１４１、１４２と、この変換器によって取得された測光情報又は測色情報を出力する出力部１６と、を含む。【選択図】図６
2019174484.tif 000002
【特許請求の範囲】
【請求項１】
画像の画像データを取得する撮像部と、
画像データの撮影情報を使用して、該画像データを測光情報又は測色情報を含むデータに変換する、変換器と、
該変換器から取得した該測光情報又は該測色情報を出力する、出力部と、
を備える、装置。
【請求項２】
前記画像に含まれる画素の位置を指定する位置指定部を更に備え、
前記出力部が、該位置指定部により指定された画素に関して前記変換器によって取得された前記測光情報又は前記測色情報を表示する表示部である、請求項１に記載の装置。
【請求項３】
前記変換器が、
前記撮像部により取得された前記画像の前記画像データを、相対輝度値を含むデータに変換する、第１変換器と、
前記画像データの撮影情報を使用して、該画像に含まれる対象物の参照輝度値を取得する、参照輝度値取得部と、
該参照輝度値を使用して、該相対輝度値を絶対輝度値に変換する、第２変換器と、
を備え、
前記表示部が、該第２変換器により取得された該絶対輝度値を表示する、請求項２に記載の装置。
【請求項４】
前記第２変換器が、相対輝度値を線形尺度に変換することにより線形相対輝度値を取得し、該参照輝度値を使用して該線形相対輝度値を前記絶対輝度値に変換する、請求項３に記載の装置。
【請求項５】
前記表示部が、前記画像の各画素に対する前記絶対輝度値を、対象となっている該絶対輝度値が離散的に設定された複数の区分のいずれに属するかに応じて異なる色で表示する、請求項３又は４に記載の装置。
【請求項６】
前記変換器が、前記撮像部により取得された前記画像データに関連付けられた画像情報から、前記撮影情報を抽出する、請求項２に記載の装置。
【請求項７】
前記変換器が、前記撮影情報を使用して、前記撮像部により取得された前記画像の前記画像データに含まれる第１色空間の色情報を、第２色空間の色情報に変換する、第３変換器を備え、
前記表示部が、該第３変換器により取得された該第２色空間の該色情報の値を表示する、請求項２に記載の装置。
【請求項８】
前記撮影情報が、前記画像データに関連付けられた画像情報である、請求項７に記載の装置。
【請求項９】
前記変換器が、前記第３変換器により取得された前記第２色空間の前記色情報を、第３色空間に変換する、第４変換器を更に備え、
前記表示部が、該第４変換器により取得された該第３色空間の色情報の値を表示する、請求項７に記載の装置。
【請求項１０】
前記変換器が、
前記撮影情報を使用して、前記撮像部により取得された前記画像の前記画像データに含まれる第１色空間の色情報を、第２色空間の色情報に変換する、第３変換器と、
該画像中の複数の点の各々について前記第２変換器により取得された前記絶対輝度値と、該第３変換器により取得された該第２色空間の該色情報とを、色外観モデルの第３色空間の色情報に変換する、第５変換器と、
を更に備え、
前記表示部が、該第５変換器により取得された該色情報の値を表示する、請求項３に記載の装置。
【請求項１１】
前記変換器が、
前記撮影情報を使用して、前記撮像部により取得された前記画像の前記画像データに含まれる第１色空間の色情報を、第２色空間の色情報に変換する、第３変換器と、
該第３変換器により取得された該第２色空間の該色情報を、第３色空間に変換する、第４変換器と、
該画像中の複数の点の各々について前記第２変換器により取得された前記絶対輝度値と、該第４変換器により取得された該第３色空間の色情報とを、色外観モデルの第４色空間の色情報に変換する、第５変換器と、
を更に備え、
前記表示部が、該第５変換器により取得された該色情報の値を表示する、請求項３に記載の装置。
【請求項１２】
前記変換器により変換された複数の点の前記測光情報又は前記測色情報を含むデータに基づいて、該複数の点の該測光情報又は該測色情報の相対的関係を分析する、分析部を更に備え、
前記表示部が、該分析部により取得された値を表示する、請求項２に記載の装置。
【請求項１３】
複数の色の各々について測色情報及び識別値が関連付けられている参照情報を格納する、記憶部と、
該参照情報を参照することによって、前記位置指定部により指定された前記画素について、前記変換器により取得された前記測色情報に最も近い測色情報に対応する色の識別値を抽出する、抽出部と、
を更に備え、
前記表示部が、該抽出部により抽出された該色の該識別値を表示する、請求項７に記載の装置。
【請求項１４】
互いに通信することが可能な、撮像デバイス、変換デバイス、及び表示デバイスを備える、システムであって、
該撮像デバイスが、
画像の画像データを取得する撮像部と、
該撮像部により取得された該画像の該画像データ及び画像データの撮影情報を該変換デバイスに送信する送信部と、
を含み、
該変換デバイスが、
該画像データの撮影情報を使用して、該画像データを測光情報又は測色情報を含むデータに変換する、変換器と、
該撮像デバイスから該画像データ及び該撮影情報を受信し、該変換器により取得された該測光情報又は該測色情報を該表示デバイスへ送信する、通信部と、
を含み、
該表示デバイスが、
該測光情報又は該測色情報を該変換デバイスから受信する、受信部と、
該受信部が受信した該測光情報又は該測色情報を表示する、表示部と、
を含む、システム。
【請求項１５】
撮像デバイスにより撮影された画像の画像データと、画像データの撮影情報とを取得し、
該撮影情報を用いることにより、該画像データを、測光情報又は測色情報を含むデータに変換し、
該測光情報又は該測色情報を出力するよう、コンピューターに命令する、プログラム。
【発明の詳細な説明】
【技術分野】
【０００１】
本願は、２０１３年１２月２７日に出願された日本出願第２０１３−２７３４３７号の利益を主張するものであり、その出願の全内容が、参照により本明細書に組み込まれる。
【０００２】
本開示は、測定装置、測定システム、及び測定プログラムに関する。
【背景技術】
【０００３】
特許文献１は、測定機器の位置から見える特定の視野内にある、比較的微小な部分からの放射光及び反射光の量を測定する輝度計などの測光デバイスについて記述している。更に、特許文献２は、写真撮影のために使用されるフラッシュ光の色温度を測定する、写真用の色温度計について記述している。特許文献３は、例えば、写真用の色補正情報など、写真光源などの光又は出力を測定する、カラーメーター（色測定装置）について記述している。特許文献４は、領域を照らす光源の色温度を測定し、その出力に基づいて色温度情報を表示する、カメラについて記述している。
【先行技術文献】
【特許文献】
【０００４】
【特許文献１】特開昭６３−２２９３３５号公報
【特許文献２】特開平０５−２２３６４３号公報
【特許文献３】特開２００９−０５３０６３号公報
【特許文献４】特開平０６−２４２４８７号公報
【発明の概要】
【発明が解決しようとする課題】
【０００５】
国際照明委員会（ＣＩＥ）標準などの国際的業界標準に基づいて光の強度又は色を測定するには、非常に高価な特殊計測機器が必要である。しかしながら、もし好適な方法が確立された場合、測光情報又は測色情報は、現在市販されているデジタルカメラで撮影された画像データから計算することが可能になる。色温度計付きカメラなどの技術がすでに提案されているが、これらは主に美しい写真を撮影するためのものであり、単純な方法で対象物の任意の点の光の強度又は色を測定し、その測定結果を他の用途に適用し得るような方法で出力する装置は知られていない。
【０００６】
よって、本開示の目的は、国際的業界標準に対応する測光情報又は測色情報を、単純な方法で正確に測定することを可能にするような、装置、システム、及びプログラムを提供することである。
【課題を解決するための手段】
【０００７】
本開示による装置は、画像の画像データを取得する撮像部と、画像データの撮影情報を使用して、この画像データを測光情報又は測色情報を含むデータに変換する、変換器と、この変換器から取得した測光情報又は測色情報を出力する、出力部とを含む。
【０００８】
この装置において、画像に含まれる画素の位置を指定する位置指定部を更に含むことが好ましく、この出力部は、この位置指定部により指定された画素に関して変換器によって取得された測光情報又は測色情報を表示する表示部であることが好ましい。
【０００９】
この装置において、この変換器は、撮像部により取得された画像の画像データを、相対輝度値を含むデータに変換する、第１変換器と、画像データの撮影情報を使用して、画像に含まれる対象物の参照輝度値を取得する、参照輝度値取得部と、この参照輝度値を使用して、相対輝度値を絶対輝度値に変換する、第２変換器と、を含む。また、この表示部が、第２変換器により取得された絶対輝度値も表示することが好ましい。
【００１０】
この装置において、この第２変換器は、相対輝度値を線形尺度に変換することにより線形相対輝度値を取得し、参照輝度値を使用してこの線形相対輝度値を絶対輝度値に変換することが好ましい。
【００１１】
この装置において、この表示部は、画像の各画素に対する絶対輝度値を、絶対輝度値が離散的に設定された複数の区分のいずれに属するかに応じて異なる色で表示することが好ましい。
【００１２】
この装置において、この変換器は、撮像部により取得された画像データに関連付けられた画像情報から、撮影情報を抽出することが好ましい。
【００１３】
この装置において、この変換器は、この撮影情報を使用して、撮像部から取得された画像の画像データに含まれる色空間の色情報を、別の色空間の色情報に変換する、第３変換器を含むことが好ましい。また、この表示部が、第３変換器により取得されたその別の色空間の色情報の値を表示することも好ましい。
【００１４】
この装置において、この撮影情報は、この画像データに関連付けられた画像情報であることが好ましい。
【００１５】
この装置において、この変換器は、第３変換器により取得された別の色空間の色情報を、更に別の色空間に変換する、第４変換器を更に含むことが好ましい。また、この表示部が、第４変換器により取得された更に別の色空間の色情報の値も表示することが好ましい。
【００１６】
この装置において、この変換器は、この撮影情報を使用して、撮像部により取得された画像の撮影情報に含まれる色空間の色情報を、別の色空間の色情報に変換する、第３変換器と、画像中の複数の点の各々について第２変換器により取得された絶対輝度値と、第３変換器により取得された別の色空間の色情報とを、色外観モデルの色空間の色情報に変換する、第５変換器とを、更に含むことが好ましい。また、この表示部が、第５変換器により取得された色情報の値も表示することが好ましい。
【００１７】
この装置において、この変換器は、この撮影情報を使用して、撮像部により取得された画像の撮影情報に含まれる色空間の色情報を、別の色空間の色情報に変換する、第３変換器と、第３変換器により取得された別の色空間の色情報を、更に別の色空間に変換する、第４変換器と、画像中の複数の点の各々について第２変換器により取得された絶対輝度値と、第４変換器により取得された更に別の色空間の色情報とを、色外観モデルの色空間の色情報に変換する、第５変換器とを、更に含むことが好ましい。また、この表示部が、第５変換器により取得された色情報の値も表示することが好ましい。
【００１８】
この装置において、変換器により変換された複数の点の測光情報又は測色情報を含むデータに基づいて、その複数の点の測光情報又は測色情報の相対的関係を分析する、分析部を更に含むことが好ましい。また、この表示部が、分析部により取得された値も表示することが好ましい。
【００１９】
この装置において、複数の色の各々について測色情報及び識別値が関連付けられている参照情報を格納する、記憶部と、この参照情報を参照することによって、位置指定部により指定された画素について、変換器により取得された測色情報に最も近い測色情報に対応する色の識別値を抽出する、抽出部と、を更に含むことが好ましい。また、この表示部が、抽出部により抽出された色の識別値も表示することが好ましい。
【００２０】
本発明によるシステムは、互いに通信することが可能な、撮像デバイス、変換デバイス、及び表示デバイスを含むシステムである。この撮像デバイスは、画像の画像データを取得する撮像部と、撮像部により取得された画像の画像データ及び画像データの撮影情報を変換デバイスに送信する送信部とを含む。この変換デバイスは、画像データの撮影情報を使用して、画像データを測光情報又は測色情報を含むデータに変換する、変換器と、その画像データ及び撮影情報を撮像デバイスから受信し、変換器から取得した測光情報又は測色情報を表示デバイスに送信する通信部とを含む。この表示デバイスは、測光情報又は測色情報を変換デバイスから受信する受信部と、この受信部が受信した測光情報又は測色情報を表示する表示部とを含む。
【００２１】
本開示によるプログラムは、撮像デバイスにより撮影された画像の画像データと、画像データの撮影情報とを取得し、この撮影情報を用いることにより、画像データを、測光情報又は測色情報を含むデータに変換し、更に、測光情報又は測色情報を出力するよう、コンピューターに命令する。
【発明の効果】
【００２２】
本開示の装置、システム、及びプログラムによって、国際的業界標準に対応した測光情報又は測色情報を単純な方法で正確に測定することができる。
【図面の簡単な説明】
【００２３】
【図１】端末デバイス１の一実施形態の概略図である。
【図２】端末デバイス１の機能の概要を説明する図である。
【図３】制御部１４の一実施形態の機能構成図である。
【図４】測光情報変換器１４１の一実施形態により使用されるデータ関係図である。
【図５】絶対輝度値の変換プロセスの一例を示すフローチャートである。
【図６】絶対輝度値のための表示画面の一例を示す図である。
【図７】絶対輝度値レベルマップの一表示例を示す図である。
【図８】測色情報変換器１４２の一実施形態により使用されるデータ関係図である。
【図９】測色情報変換器１４２の一実施形態により使用されるデータ関係図である。
【図１０Ａ】色温度の変換に使用される校正曲線を示すグラフである。
【図１０Ｂ】色温度の変換に使用される校正曲線を示すグラフである。
【図１１】色度値のための表示画面の一例を示す図である。
【図１２】通信システム２の一実施形態の概略図である。
【発明を実施するための形態】
【００２４】
図１は、端末デバイス１の一実施形態の概略図である。端末デバイス１は、撮像部１１、発光部１２、記憶部１３、制御部１４、操作部１５、及び表示部１６を含む。端末デバイス１は例えば、カメラを装備したスマートフォンなどの携帯端末である。
【００２５】
撮像部１１は測定対象画像をキャプチャし、測定対象画像データをＲＡＷ（ＤＮＧ）データ、ＪＰＥＧ（ＪＦＩＦ）データ、又はｓＲＧＢデータなどの形式で取得する。このデータ形式は、これらのうち任意のものであってよいが、本明細書では以下、主に、撮像部１１がＪＰＥＧ（ＪＦＩＦ）データを取得するものとして記述される。
【００２６】
発光部１２は、必要に応じて、画像が撮像部１１により撮影されるときに発光する。発光部１２は例えば、可視光、蛍光、紫外光、赤外光などの、様々なタイプの可視光又は不可視光を発することができる。記憶部１３は、例えば、撮像部１１により撮影された画像データ、端末デバイス１の動作に必要なデータなどを格納する半導体メモリである。
【００２７】
制御部１４は、ＣＰＵ、ＲＡＭ、ＲＯＭなどを含み、端末デバイス１の動作を制御する。操作部１５は、例えば、タッチパネル、キーボードなどを含み、ユーザーからの操作を受信する。操作部１５は、位置指定部の一例であり、画像に含まれる画素の位置を指定するユーザー操作を受信する。
【００２８】
表示部１６は、例えば液晶ディスプレイであり、タッチパネルディスプレイとして操作部１５と一体化し得る。表示部１６は出力部の一例であり、操作部１５を介してユーザーから指定された画素について、制御部１４から取得された測光情報又は測色情報を表示する。測光情報は測定対象の絶対輝度値であり、ｎｉｔ、ｃｄ／ｍ２、ｆｔＬなどの単位で表わされる。更に、測色情報は、測定対象のＣＩＥ  ＸＹＺ値、ＲＧＢ値、色温度（Ｋ）、又はスペクトル分布である。
【００２９】
端末デバイス１は、例えば音声など、表示以外の手段で測光情報又は測色情報を出力し得ることに注意されたい。更に、端末デバイス１は、測光情報又は測色情報を別のデバイスに出力することができ、これによってユーザーが測定結果を他のデバイスで分析することができる。
【００３０】
図２は、端末デバイス１の機能の概要を説明する図である。画像がデジタルカメラで取得されると、光及び色の情報が図２に示すように変換される。Ｈ（λ）は光源のスペクトル強度であり、Ｒ（λ）は対象物のスペクトル反射率であり、Ｔ（λ）は、フィルターを装備したカメラレンズを通過する際のスペクトル透過率であり、Ｓ（λ）はカメラセンサーのスペクトル感度である。これらの値は、図中の式に示すように、ＲＧＢ  ＲＡＷ（ＤＮＧ）データとして一緒に記録される。しかしながら、画像データサイズを低減するために、ＲＡＷデータは、例えばＪＰＥＧ、ＴＩＦなどの別の形式に変換される。光源には、例えば、可視光光源、蛍光光源、紫外光光源、赤外光光源などが含まれ得る。
【００３１】
端末デバイス１は、本明細書で後述される計算式を用いて、対象物の色温度（Ｋ）、ＣＩＥ  ＸＹＺ値、並びに、測定対象画像のキャプチャによって得られたＲＡＷデータ及びＪＰＥＧデータなどのＲＧＢデータからの絶対輝度値（ｎｉｔ）などの、絶対値を取得する。端末デバイス１は、例えば次に、測定対象画像と一緒に、測定結果の数値を表示部１６にリアルタイムで表示する。測光情報又は測色情報はこのように、例えばカメラを装備したスマートフォンなどの携帯端末によって、単純な方法で測定することができる。
【００３２】
図３は、制御部１４の一実施形態を示す機能構成図である。制御部１４は、機能構成として、測光情報変換器１４１、測色情報変換器１４２、分析部１４３、抽出部１４４、及びＣＡＭ変換器１４５を含む。
【００３３】
測光情報変換器１４１は、第１変換器１４１Ａ、参照輝度値取得部１４１Ｂ、及び第２変換器１４１Ｃを含む。測光情報変換器１４１は、変換器の一例であり、撮像部１１の有効口径値（Ｆ値）、シャッター速度、ＩＳＯ感度、焦点距離、及び撮影距離などの画像データの撮影情報を使用して、撮像部１１により取得された画像データを、絶対輝度値（測光情報）を含むデータに変換する。その時点で、例えば測光情報変換器１４１は、撮像部１１により取得された画像データに関連付けられたＥｘｉｆデータから撮影情報を抽出する。
【００３４】
図４は、測光情報変換器１４１の一実施形態により使用されるデータ関係図である。第１変換器１４１Ａは、撮像部１１により取得された画像のＪＰＥＧデータを、相対輝度値を含むＹＣｒＣｂデータに変換する（矢印４ａ）。輝度信号値Ｙは相対輝度値である。その時点で、第１変換器１４１Ａは、周知のＩＥＣ  ６１９６６−２−１標準により規定されている変換表に従って、ＪＰＥＧデータをＹＣｒＣｂデータに変換し得る。画像データがｓＲＧＢデータである場合、第１変換器１４１Ａは、周知の標準により規定されている変換表に従って、変換を行うことができる（矢印４ｂ）。更に、ＲＡＷデータに関して、第１変換器１４１Ａは、撮像部１１のメーカーが提供する変換表を用いて、変換を行うことができる（矢印４ｃ）。
【００３５】
参照輝度値取得部１４１Ｂは、画像データの撮影情報を使用して、撮像部１１により取得された画像に含まれる対象物の参照輝度値を取得する。撮像部１１の有効口径値（Ｆ値）をＦ、シャッター速度をＴ（秒）、ＩＳＯ感度をＳとすると、全画面の平均反射率を１８％と仮定した場合の対象物の参照輝度値β（ｃｄ／ｍ２又はｎｉｔ）は、下記の式で表わされる。
β＝１０×Ｆ２／（ｋ×Ｓ×Ｔ）                                  （１）
式中、ｋは定数であり、０．６５などの値が使用される。参照輝度値取得部１４１Ｂはこの式を用いて、有効口径値（Ｆ値）Ｆ、シャッター速度Ｔ（秒）、及びＩＳＯ感度Ｓの値から、参照輝度値βを計算する（矢印４ｄ）。
【００３６】
通常、Ｆ、Ｓ、及びＴの撮影情報は、ＲＡＷデータ、ＪＰＥＧデータ等に関連付けられたＥｘｉｆデータ内に記録されている。よって、参照輝度値取得部１４１Ｂは、このＥｘｉｆデータからＦ、Ｓ、及びＴを抽出し、参照輝度値βを計算する。ゆえに、ユーザーによる撮影情報の手動入力はもはや不要であり、ひいてはユーザーにとっての便宜性が改善される。しかしながら、Ｅｘｉｆデータが使用できない場合は、ユーザーが操作部１５を介してＦ、Ｓ、及びＴ値を入力し、参照輝度値取得部１４１Ｂがこれらの入力値を取得する。
【００３７】
第２変換器１４１Ｃは、参照輝度値βを使用して、相対輝度値Ｙを絶対輝度値に変換する。その時点で、第２変換器１４１Ｃは最初に、相対輝度値Ｙを線形尺度に変換することにより線形相対輝度値ｌｉｎｅａｒ（Ｙ）を得る（矢印４ｅ）。第２変換器１４１Ｃは次に、参照輝度値取得部１４１Ｂにより計算された参照輝度値βを使用して、各測定対象画素の線形相対輝度値ｌｉｎｅａｒ（Ｙｔａｒｇｅｔ）を、絶対輝度値βｔａｒｇｅｔに変換する（矢印４ｆ、４ｇ）。
【００３８】
一般に、ディスプレイに表示される各画素のＲＧＢ値は、表示の非線形性を補償するために、ガンマ補正により非線形尺度に変換される。よって、線形尺度ではないＲＧＢ値を用いる場合、第２変換器１４１Ｃは、例えば代表的なガンマ補正値２．２を使用して、第１変換器１４１Ａにより計算された各画素の輝度信号Ｙ（非線形値）を、下記の式を用いて線形尺度のｌｉｎｅａｒ（Ｙ）に変換する。
ｌｉｎｅａｒ（Ｙ）＝Ｙ２．２                                    （２）
【００３９】
ガンマ補正をこのようにして実施した場合、複数の点及び複数の値の高速処理をより簡単に行えるようになるという利点がある。言うまでもなく、式（２）に限定されることなしに、各色空間に固有の方法を用いることにより、第２変換器１４１Ｃは相対輝度値Ｙを線形尺度に変換できる。
【００４０】
反射率が１８％の場合の参照輝度値βｔａｒｇｅｔが取得された場合、第２変換器１４１Ｃは、下記の式を用いて、対象画素の線形相対輝度値ｌｉｎｅａｒ（Ｙｔａｒｇｅｔ）から、対象画素の絶対輝度値βｔａｒｇｅｔを計算する。
βｔａｒｇｅｔ＝β×ｌｉｎｅａｒ（Ｙｔａｒｇｅｔ）／ｌｉｎｅａｒ（Ｙｍ）（３）
式中、ｌｉｎｅａｒ（Ｙｍ）は、全画面の平均反射率を１８％と仮定したときの、線形相対輝度値（参照レベル）である。０〜２５５の８ビットシステムの場合、ディスプレイの２．２ガンマ標準と平均反射率１８％の規定に従って、この参照レベルは４６となり（最大値２５５×０．１８）、下記の式が得られる。
ｌｉｎｅａｒ（Ｙｍ）＝４６／２５５
【００４１】
場合によっては、第２変換器１４１Ｃにより得られた絶対輝度値βｔａｒｇｅｔの値は、表示部１６に表示される。Ｅｘｉｆデータの撮影情報を使用することが可能な場合、あるいは、それに対応する情報がユーザーにより手動で入力されている場合は、絶対輝度値βｔａｒｇｅｔは、ＪＰＥＧデータのｓＲＧＢ又はＲＧＢ、及びＲＡＷデータのＲＧＢの任意のものから、画像の各座標の画素について取得し表示することができる。相対輝度値では、同じ画像内の輝度の強さを比較することはできない。しかしながら絶対輝度値では、全く異なる時点に、異なる照明条件下で取得した異なる画像であっても、輝度の強さを比較することが可能になる。
【００４２】
第２変換器１４１Ｃは、最終絶対輝度値βｔａｒｇｅｔに関して、撮像部１１の撮影レンズの焦点距離と撮像エレメントのサイズから得られる視野角情報を使用して、例えばコサイン４乗則と呼ばれるものなどの周知の方法を用いて、周辺光の量を低減することに関する補正を実施できることに注意されたい。このようにして絶対輝度値の正確さを向上させることができる。
【００４３】
図５は、絶対輝度値の変換プロセスの一例を示すフローチャートである。図５の各工程の処理は、例えば、記憶部１３に格納されているプログラムに基づいて、制御部１４の測光情報変換器１４１により、端末デバイス１の各エレメントと協調して、実行される。
【００４４】
最初に、測光情報変換器１４１が、撮像部１１によりキャプチャされた画像の画像データを取得する（工程Ｓ１）。端末デバイス１はまた、単一の静止画（写真）に限定されることなく、撮像部１１により連続的に取得された画像データのリアルタイム処理を実施することもできる。この場合、測光情報変換器１４１は、人間の目では感受できない時間間隔で撮像部１１により連続的にキャプチャされた画像データを取得する。
【００４５】
測光情報変換器１４１は次に、取得した画像データの撮影情報を取得する（工程Ｓ２）。この撮影情報は、画像データから取得されることが好ましい。画像データがない場合は、測光情報変換器１４１は、ユーザーが操作部１５経由で入力した撮影情報を取得する。
【００４６】
次に、第１変換器１４１Ａは、工程Ｓ１で取得した画像データ（ＲＧＢデータ）を、相対輝度値を含む望ましいデータタイプ（例えばＹＣｒＣｂデータ）に変換する（工程Ｓ３）。第２変換器１４１Ｃは次に、工程Ｓ３で計算された各画素の輝度信号Ｙを、例えば式（２）を用いて、線形尺度のｌｉｎｅａｒ（Ｙ）に変換する（工程Ｓ４）。
【００４７】
更に、参照輝度値取得部１４１Ｂは、工程Ｓ２で取得された撮影情報から、撮像部１１の有効口径値（Ｆ値）Ｆ、シャッター速度Ｔ、及びＩＳＯ感度Ｓを抽出する。例えば、参照輝度値取得部１４１Ｂは式（１）を用いて、抽出された有効口径値（Ｆ値）Ｆ、シャッター速度Ｔ、及びＩＳＯ感度Ｓの値から、参照輝度値βを計算する（工程Ｓ５）。
【００４８】
ここで、測光情報変換器１４１は、ユーザーが操作部１５を介して測定対象画素を指定する操作を受信する（工程Ｓ６）。次に第２変換器１４１Ｃは、工程Ｓ４で取得した線形相対輝度値ｌｉｎｅａｒ（Ｙ）の中から、工程Ｓ６で受信した対象画素の線形相対輝度値ｌｉｎｅａｒ（Ｙｔａｒｇｅｔ）を用い、式（３）により対象画素の絶対輝度値βｔａｒｇｅｔを計算する（工程Ｓ７）。次に第２変換器１４１Ｃは、工程Ｓ７で計算された絶対輝度値βｔａｒｇｅｔを出力し、表示部１６に表示させる（工程Ｓ８）。絶対輝度値の変換処理がこれで終了する。
【００４９】
従来の測定機器は、ファインダー上であるサイズを有する１点の値を測定するため、複数の点の測定値又はその平均値が必要な場合は、各点を個別に測定し、その結果を記録してから、平均を計算する必要がある。しかしながら、端末デバイス１では、測定点の位置及び同時測定される点の数などを、自由に選択することができ、測定範囲のサイズも、画素単位から画面全体まで自由に選択することができる。よって、単純な方法で、例えば複数の点の絶対輝度値を同時に測定することと、特定の領域にわたる測定値の平均値を取得することが、可能になる。端末デバイス１により、絶対輝度値は、特殊な測定機器の代わりにスマートフォンのカメラなどのプログラム可能なデジタルカメラを用いて、単純な方法で取得することができ、よって例えば、絶対輝度を品質条件として測定しなければならない照明、表示、及び広告板などの分野に用途が拡大される。
【００５０】
図６は、絶対輝度値のための表示画面の一例を示す図である。図６の画面で、表示部１６において、測定領域を示すマーカー６１と、２つの輝度値６２及び６３が、撮像部１１によってキャプチャされた画像上に重なり合って表示されている。左側の輝度値６２は、点線の円６４内に表示されている４本の線部分の平均絶対輝度値である（視角１０〜２０℃）。更に、右側の輝度値６３は、点線の円６４の中心の１画素６５（視角０．０３５℃）の絶対輝度値である。これらの輝度値６２及び６３は、撮像部１１により順次キャプチャされた画像を、図５の変換処理を用いて、連続的に、又は両方同時に測定される。
【００５１】
図６の例において、例えば、タッチパネルの表示部１６上に表示されているマーカー６１は、ユーザーが指などでマーカー６１を動かすことができ、その動かされたマーカー６１の位置に表示されている点の輝度値が、測光情報変換器１４１により表示部１６に出力されるように、実装することができる。あるいは、撮像部１１によりキャプチャされた画像の中心（マーカー６１の位置）に測定対象が来るようにユーザーが端末デバイス１を動かした後に、測光情報変換器１４１が、その測定対象の輝度値を表示部１６に出力することができる。
【００５２】
このようにして、端末デバイス１において、キャプチャした画像の任意の画素の輝度値と、その画像全体の平均輝度値とを、計算及び表示することが可能になる。
【００５３】
更に、撮像部１１によりキャプチャされた画像の各画素の輝度値は、表示部１６上に単色輝度画像として表示させることができる。あるいは、輝度画像を、輝度値が高いほど輝度画像が赤に近くなり、輝度値が低くなるにつれて輝度画像が青に近くなるような方法で色表示される、ヒートマップとして表示させることができる。
【００５４】
しかしながら、輝度値の度合に従って色が連続的に変化するヒートマップでは、ときに、輝度値が特定の範囲内にある画素領域を特定することが難しくなる。例えば、関心対象の輝度値範囲が限定されている場合、その範囲内にある輝度値を有するすべての画素が、同じ色調を用いて画像表示されると、その範囲内にある輝度値を有する画素が容易に特定できる。よって、端末デバイス１において、撮像部１１により撮影された画像の各画素の絶対輝度値は、対象となっているその絶対輝度値が離散的に設定された複数の区分のいずれに属するかに応じて異なる色で表示される。
【００５５】
図７は、絶対輝度値レベルマップの一表示例を示す図である。図７において、上部分と下部分の２つに分かれている正方形標識７１が表示されている。図７は、レベル（等高線）マップの一例である。測光情報変換器１４１により計算された絶対輝度値の大きさが、３色に分けられ、標識７１（回帰反射を有する）が自動車のヘッドライト照射により照らされ、キャプチャされた画像に対して表示されている。
【００５６】
図７のレベルマップにおいて、斜線部分は例えば青色を用いて表現され、必要レベルの輝度値に適合している画素領域に対応している。更に、網点を用いて表わされている部分は、例えば赤色を用いて表現され、必要レベルの輝度値に適合していない画素領域に対応している。更に、黒色部分は例えば黄色を用いて表現され、斜線部分（青色領域）と網点部分（赤色領域）との間の輝度値である画素領域に対応している。この例において、網点部分（赤色領域）は３．５ｎｉｔ未満の輝度レベルを有し、黒色部分（黄色領域）は３．５ｎｉｔ以上８．０ｎｉｔ未満の輝度レベルを有し、斜線部分（青色領域）は８．０ｎｉｔ以上の輝度レベルを有する。
【００５７】
標識に取り付けられている回帰反射性フィルムが夜間に自動車のヘッドライトで照らされたときの光強度は、特定のレベル以上に維持されなければならない。図７のレベルマップの場合、ユーザーは、標識７１に取り付けられた回帰反射性フィルムにより反射した光の強度と、必要な輝度値レベルとの間の関係を、レベルマップの標識部分の色から容易に特定することができる。例えば、標識７１の上側部分は図７において網点部分（赤色領域）であるため、この部分の反射光強度が、必要レベルの下限３．５ｎｉｔ未満に低下しており、回帰反射性フィルムの劣化が進行していることが理解される。一方、標識７１の下側の大半は斜線部分（青色領域）であるため、この部分の反射光強度は必要レベルの上限８．０ｎｉｔ以上であることが理解される。
【００５８】
単色輝度画像においては、例えば絶対輝度値が特定値以上（超過）になっている画素に色を付けて表示することによって、絶対輝度値が特定の範囲内にある画素領域を特定することが許容される。
【００５９】
図３に戻って、制御部１４の別の機能構成が記述されている。測色情報変換器１４２は、第３変換器１４２Ａ、第４変換器１４２Ｂ、及び色温度変換器１４２Ｃを含む。測色情報変換器１４２は変換器の一例であり、光源又は照明光の色温度など、画像データの撮影情報と、光源又は照明光のスペクトル光強度分布とを使用して、撮像部１１により取得された画像データを、ＣＩＥ  ＸＹＺ値、ＲＧＢ値、色温度など（測色情報）を含むデータに変換する。その時点で、例えば測色情報変換器１４２は、撮像部１１により取得された画像データに関連付けられたＥｘｉｆデータから撮影情報を抽出する。端末デバイス１はこのように、輝度値だけでなく色空間の色情報も、表示部１６に表示させることができる。
【００６０】
図８及び図９は、測色情報変換器１４２の一実施形態により使用されるデータ図である。具体的に、図８は、ＲＧＢデータがＣＩＥ  ＸＹＺ値などの色度値に変換される場合を示す図であり、図９は、ＲＧＢデータが色温度を決定するのに使用される場合を示す図である。
【００６１】
第３変換器１４２Ａは、光源又は照明光の色温度、及び光源又は照明光のスペクトル光強度分布などの撮影情報を使用して、撮像部１１により取得された画像のＪＰＥＧデータに含まれる色空間の色情報を、別の色空間の色情報に変換する（矢印８ａ）。例えば、変換前の色空間の色情報はＲＧＢ値であり、返還後の別の色空間の色情報はＣＩＥ  ＸＹＺ値である。第３変換器１４２Ａ、例えば、Ｅｘｉｆデータに含まれる色変換行列の係数ｘｒ、ｘｇ、ｘｂ、ｙｒ、ｙｇ、ｙｂ、ｚｒ、ｚｇ及びｚｂを使用し、下記の式などの行列変換を用いて、ＲＧＢ値をＣＩＥ  ＸＹＺ値に変換する。
【００６２】
【数１】
2019174484.tif 000003
【００６３】
第３変換器１４２Ａは、周知のＩＥＣ  ６１９６６−２−１標準により規定されている変換表に従って、ＪＰＥＧデータをＣＩＥ  ＸＹＺ値に変換し得る。第３変換器１４２Ａはまた、画像データがｓＲＧＢデータである場合、周知の標準により規定されている変換表に従って、変換を実施することができる（矢印８ｂ）。更に、ＲＡＷデータに関して、第３変換器１４２Ａは、撮像部１１のメーカーが提供する変換表を用いて、変換を行うことができる（矢印８ｃ）。
【００６４】
いくつかの実施形態において、第３変換器１４２Ａにより取得された別の色空間の色情報値が、表示部１６に表示される。上述のように、画像データに関連付けられたＥｘｉｆデータから取得された撮影情報を用いて変換が行われるとき、色情報が表わされる。更に、発光部１２のスペクトル分布が既知の場合、その色情報は同様に、発光部１２のスペクトル分布のスペクトルデータを撮影情報として使用することによって表わされる。
【００６５】
第４変換器１４２Ｂは、第３変換器１４２Ａにより取得された別の色空間の色情報（ＣＩＥ  ＸＹＺ値）を、更に別の色空間の情報に変換する。ここで、更に別の色空間の色情報は例えば、ＣＩＥ  Ｌａｂ、Ｌ＊ａ＊ｂ＊、Ｌｕｖ、又はＬ＊ｕ＊ｖ＊の値であるか、又はマンセル値である。例えば、第４変換器１４２Ｂは、ＣＩＥ  １９７６  Ｌ＊ａ＊ｂ＊色空間の定義と、この定義が組み込まれているＪＩＳ標準（ＪＩＳ  Ｚ８７２９）に従って、ＣＩＥ  ＸＹＺからＬ＊ａ＊ｂ＊への変換を実施する。
【００６６】
第４変換器１４２Ｂにより取得された更に別の色空間の色情報値が、表示部１６に表示される。例えば、標準色差（Ｌ＊ａ＊ｂ＊色空間におけるΔＥ）を計算するには、まずＣＩＥ  ＸＹＺからＬ＊ａ＊ｂ＊色空間の色度値への変換を実施することが必要である。第４変換器１４２Ｂを用いることにより、目的に応じて様々な色空間への変換を実施することが可能になる。
【００６７】
色温度変換器１４２Ｃは、撮像部１１により取得された画像のＪＰＥＧデータに含まれるＲＧＢ値を、周知のＪＩＳ標準（ＪＩＳ  Ｚ８７２５）などに従った色温度（Ｋ）に変換する（矢印９ａ）。例えば、光源、又は測定される無色の対象物がキャプチャされた場合、色温度変換器１４２Ｃは、ＣＩＥ  ｘｙ色度図上の光源の色温度位置を使って、ＪＰＥＧ（ＪＦＩＦ）データに関連付けられたＥｘｉｆデータに含まれている参照白色色点の色座標値に基づき、色温度を取得することができる。
【００６８】
画像データがｓＲＧＢデータである場合、色温度変換器１４２Ｃは、上述のような色温度を決定するための情報を撮影情報から取得し、ＪＰＥＧデータと同様にして、色温度への変換を実施する（矢印９ｂ）。更に、ＲＡＷデータに関して、色温度変換器１４２Ｃは、撮像部１１のメーカーが提供する変換表を用いて、変換を行うことができる（矢印９ｃ）。撮像部１１のメーカーによっては、画像が撮影されるときの色温度設定は、ときにＥｘｉｆデータに記録されていることに注意されたい。この種の撮像部１１が使用される場合、単に色温度をＥｘｉｆデータから抽出することによって、色温度変換器１４２Ｃは変換を行わずに色温度を取得することができる。
【００６９】
図１０Ａ及び図１０Ｂは、色温度の変換に使用される校正曲線を示すグラフである。図１０Ａは、ＲとＧの比と色温度（Ｋ）との間の関係を示す関数ｆ（Ｒ／Ｇ）のグラフを図示する。更に、図１０Ｂは、ＢとＧの比と色温度（Ｋ）との間の関係を示す関数ｇ（Ｂ／Ｇ）のグラフを図示する。これらの関数ｆ（Ｒ／Ｇ）及びｇ（Ｂ／Ｇ）は、黒体放射のスペクトル分布と、フィルターが含まれている各色についての撮像エレメントのスペクトル特性とに関係するプランクの式から計算される。更に、色温度は、既知の光源から実験的に取得することができる。
【００７０】
撮像部１１のタイプによっては、ときに、ＲＡＷデータから色温度への変換のための換算表が存在しない。この場合において、ＲＡＷデータから色温度への変換が望ましい場合には、色温度変換器１４２ＣがＲＡＷデータのＲＧＢ値の比を計算し、図１０Ａ又は図１０Ｂの校正曲線を参照して、色温度への変換を実施する（矢印９ｄ）。また、（例えば、メーカーが提供する換算表を用いてＪＰＥＧデータをＲＡＷデータに変換した後に）ＪＰＥＧ  ＲＧＢデータを色温度に変換するとき、図１０Ａ又は図１０Ｂを使用して、ＲＡＷデータの比から色温度を取得することができる。
【００７１】
分析部１４３は、測光情報変換器１４１により変換された複数の点の測光情報の相対的関係を、その測光情報を含むデータに基づいて、分析する。例えば、操作部１５を介してユーザーにより指定された画像上の２点について、分析部１４３が、測光情報変換器１４１により計算された絶対輝度値の輝度差を計算し、その輝度差を表示部１６上に表示させる。
【００７２】
更に、分析部１４３は、測色情報変換器１４２により変換された複数の点の測色情報の相対的関係を、その測色情報を含むデータに基づいて、分析する。例えば、操作部１５を介してユーザーにより指定された画像上の２点について、分析部１４３が、測色情報変換器１４２により計算された色空間内の２点の色情報から、距離、ベクトル内積、外積、固有値などを取得し、これによって、その色情報の相対的関係を計算する。次に分析部１４３は、例えば、計算された色差値（Ｌａｂ、Ｌ＊ａ＊ｂ＊、Ｌｕｖ、Ｌ＊ｕ＊ｖ＊、ＸＹＺなどの値の差）を表示部１６上に表示させる。
【００７３】
図１１は、色度値のための表示画面の一例を示す図である。図１１は、タッチパネルの表示部１６上に表示されている画像上の２つの点「１」及び「２」をユーザーが選択した例を示す。点「１」の色情報８１、及び点「２」の色情報８２が、表示部１６の下側に表示されている。この例において、色情報８１及び８２はｓＲＧＢ値である。次に、分析部１４３により取得された２つの点「１」及び「２」の色差８３が、色情報８１及び８２の下に表示される。
【００７４】
複数の点の測定値が使用される色差などの計算は、分析部１４３を用いることによって可能となり、また、いくつかの決定は、これらの計算結果に基づいて制御部１４により実施することが可能になる。例えば、図１１の表示画面の場合において、画像上で選択された２点の色が異なっているか類似しているかに、制御部１４を用いて決定することが可能になる。加えて、その結果も表示部１６に表示することができる。
【００７５】
記憶部１３に格納されている参照情報を参照することによって、抽出部１４４は、操作部１５を介してユーザーによって指定された画素について、測色情報変換器１４２によって取得された測色情報に最も近い測色情報に対応する色の識別値を抽出する。この参照情報は、例えば、ＣＩＥ  ＸＹＺ値、及び、ムンセル値又はパントン色見本番号などの識別値が複数の色の各々に関連付けられている、ルックアップテーブルである。例えば、ある画像の１点が操作部１５を介してユーザーにより選択された場合、抽出部１４４はその選択された点について測色情報変換器１４２により計算されたＣＩＥ  ＸＹＺ値に基づいて、記憶部１３のルックアップテーブルを参照する。
【００７６】
あるいは、この参照情報は、ｓＲＧＢ値及び識別値が複数の色の各々に関連付けられているルックアップテーブルであり得る。この場合、ある画像の１点が操作部１５を介してユーザーにより選択された場合、抽出部１４４は、ＣＩＥ  ＸＹＺ値を使用することなしに、その点のｓＲＧＢ値に基づいて、記憶部１３のルックアップテーブルを参照し、これにより、選択された点の色に最も近い色の識別値を抽出する。
【００７７】
抽出部１４４により抽出された識別値は、表示部１６に表示される。単純な行列計算で実施することができずルックアップテーブルを必要とするようなムンセル値又はパントン色見本番号への変換も、抽出部１４４を用いることにより、可能になる。例えば、ユーザーがある画像上の１点を選択し、表示部１６に表示されている色に対応する色見本帳の識別値を取得することが可能になる。
【００７８】
ＣＡＭ変換器１４５は変換器の一例であり、第５変換器１４５Ａを含む。第５変換器１４５Ａは、画像上の測定対象点及びその周囲の複数の点について、測光情報変換器１４１（第２変換器１４１Ｃ）により取得された絶対輝度値と、測色情報変換器１４２（第３変換器１４２Ａ又は第４変換器１４２Ｂ）により取得された色度値（ＣＩＥ  ＸＹＺ値、Ｌ＊ａ＊ｂ＊値など）とを、例えばＣＩＥＣＡＭ０２などの色外観モデルの色空間の色情報に変換する。第５変換器１４５Ａにより取得された色情報値が、表示部１６に表示される。第５変換器１４５Ａを用いることによって、複数の点の絶対輝度値及び色度値を使用して、色外観モデルを用いた色表示が可能になり、これは、色を最も正確な方法で表現するための平均である。
【００７９】
分析部１４３は、ＣＡＭ変換器１４５により変換された複数の点の色情報の相対的関係を分析し得ることに注意されたい。抽出部１４４は、指定された画素について、ＣＡＭ変換器１４５により取得された色情報に最も近い色の識別値を抽出し得る。
【００８０】
更に、制御部１４は、測光情報変換器１４１と測色情報変換器１４２の両方の機能を必ずしも含む必要はなく、これらのいずれか１つのみを含み得る。制御部１４は、測光情報変換器１４１と測色情報変換器１４２のうちいずれか１つのみを含み得、端末デバイス１は、測光情報と測色情報のうちいずれか１つのみを出力し得る。
【００８１】
上述のように、端末デバイス１において、測光情報（輝度値及び発光値）並びに測色情報（光源の色温度、及び色空間（表色系）の色度値）は、高価な特殊機器を使用することなく、単純な方法で測定することができる。必要なハードウェアすべてが携帯用機器に組み込まれる場合、制御部１４の機能を実現するプログラムをインストールするだけで、端末デバイス１を実現することが可能である。
【００８２】
図１２は、通信システム２の一実施形態の概略図である。通信システム２は、互いに通信することが可能な、撮像デバイス３、変換デバイス４、及び表示デバイス５を含む。これらのデバイスは、有線又は無線の通信ネットワーク６を介して互いに接続されている。
【００８３】
撮像デバイス３は、撮像部３１、発光部３２、記憶部３３、制御部３４、及び送信部３５を含む。撮像部３１は測定対象画像をキャプチャし、測定対象画像データをＲＡＷ（ＤＮＧ）データ、ＪＰＥＧ（ＪＦＩＦ）データ、又はｓＲＧＢデータなどの形式で取得する。発光部３２は、必要に応じて、画像が撮像部３１により撮影されるときに発光する。記憶部３３は、撮像部３１により取得された画像データと、撮像デバイス３の動作に必要なデータ等を格納する。制御部３４はＣＰＵ、ＲＡＭ、ＲＯＭなどを含み、撮像デバイス３の動作を制御する。送信部３５は、撮像部３１により取得された画像の画像データと、画像データの撮影情報とを、変換デバイス４へ送信する。
【００８４】
変換デバイス４は、通信部４１、記憶部４２、及び制御部４３を含む。通信部４１は、撮像デバイス３から画像データ及び撮影情報を受信し、制御部４３により取得された測光情報又は測色情報を表示デバイス５へ送信する。記憶部４２は、撮像デバイス３から受信した画像データ及び撮影情報、並びに変換デバイス４の動作に必要なデータ等を格納する。制御部４３はＣＰＵ、ＲＡＭ、ＲＯＭなどを含み、変換デバイス４の動作を制御する。制御部４３は、端末デバイス１の制御部１４の機能と同じ機能を含み、撮像デバイス３から受信した画像データ及び撮影情報を使用し、その画像データを、測光情報又は測色情報を含む画像データに変換する。
【００８５】
表示デバイス５は、受信部５１、記憶部５２、制御部５３、及び表示部５４を含む。受信部５１は、測光情報又は測色情報を変換デバイス４から受信する。記憶部５２は、変換デバイス４から受信した測光情報又は測色情報と、表示デバイス５の動作に必要なデータ等を格納する。制御部５３はＣＰＵ、ＲＡＭ、ＲＯＭなどを含み、表示デバイス５の動作を制御する。表示部５４は例えば液晶ディスプレイであり、受信部５１から受信した測光情報又は測色情報を表示する。
【００８６】
このようにして、画像のキャプチャ、測光情報又は測色情報の変換、及び変換結果の表示が、別々のデバイスによってそれぞれ実施できる。特に、複雑な変換計算及びデータベースとの比較が高性能変換デバイス４（サーバー）によって実施される場合、処理の速度と正確さを高め、かつデータ格納／管理能力を向上させることができるようになる。
【００８７】
コンピューター上で変換器の各機能を実現させるためのコンピュータープログラムは、磁気記録媒体、光学記録媒体などのコンピューター読み取り可能な記録媒体上に記録しておくことによって提供され得ることに注意されたい。
【００８８】
例示的な実施形態
項目１．画像の画像データを取得する撮像部と、画像データの撮影情報を使用して、該画像データを測光情報又は測色情報を含むデータに変換する、変換器と、該変換器から取得した該測光情報又は該測色情報を出力する、出力部と、
を備える、装置。
【００８９】
項目２．前記画像に含まれる画素の位置を指定する位置指定部を更に備え、前記出力部が、該位置指定部により指定された画素に関して前記変換器によって取得された前記測光情報又は前記測色情報を表示する表示部である、項目１に記載の装置。
【００９０】
項目３．前記変換器が、
前記撮像部により取得された前記画像の前記画像データを、相対輝度値を含むデータに変換する、第１変換器と、
前記画像データの撮影情報を使用して、該画像に含まれる対象物の参照輝度値を取得する、参照輝度値取得部と、
該参照輝度値を使用して、該相対輝度値を絶対輝度値に変換する、第２変換器と、
を備え、
前記表示部が、該第２変換器により取得された該絶対輝度値を表示する、項目２に記載の装置。
【００９１】
項目４．前記第２変換器が、相対輝度値を線形尺度に変換することにより線形相対輝度値を取得し、該参照輝度値を使用して該線形相対輝度値を前記絶対輝度値に変換する、項目３に記載の装置。
【００９２】
項目５．前記表示部が、前記画像の各画素に対する前記絶対輝度値を、対象となっている該絶対輝度値が離散的に設定された複数の区分のいずれに属するかに応じて異なる色で表示する、項目３又は４に記載の装置。
【００９３】
項目６．前記変換器が、前記撮像部により取得された前記画像データに関連付けられた画像情報から、前記撮影情報を抽出する、項目２〜５のいずれか一項に記載の装置。
【００９４】
項目７．前記変換器が、前記撮影情報を使用して、前記撮像部から取得された前記画像の前記画像データに含まれる色空間の色情報を、別の色空間の色情報に変換する、第３変換器を備え、前記表示部が、該第３変換器により取得された該別の色空間の該色情報の値を表示する、項目２に記載の装置。
【００９５】
項目８．前記撮影情報が、前記画像データに関連付けられた画像情報である、項目７に記載の装置。
【００９６】
項目９．前記変換器が更に、前記第３変換器により取得された前記別の色空間の前記色情報を、更に別の色空間に変換する、第４変換器を備え、前記表示部が、該第４変換器により取得された該更に別の色空間の色情報の値を表示する、項目７又は８に記載の装置。
【００９７】
項目１０．前記変換器が、
前記撮影情報を使用して、前記撮像部から取得された前記画像の前記画像データに含まれる色空間の色情報を、別の色空間の色情報に変換する、第３変換器と、
該画像中の複数の点の各々について前記第２変換器により取得された前記絶対輝度値と、該第３変換器により取得された該別の色空間の該色情報とを、色外観モデルの色空間の色情報に変換する、第５変換器と、
を更に備え、
前記表示部が、該第５変換器により取得された該色情報の値を表示する、項目３又は４に記載の装置。
【００９８】
項目１１．前記変換器が、
前記撮影情報を使用して、前記撮像部から取得された前記画像の前記画像データに含まれる色空間の色情報を、別の色空間の色情報に変換する、第３変換器と、
前記第３変換器により取得された前記別の色空間の前記色情報を、更に別の色空間に変換する、第４変換器と、
前記画像中の複数の点の各々について前記第２変換器により取得された前記絶対輝度値と、該第４変換器により取得された該更に別の色空間の色情報とを、色外観モデルの色空間の色情報に変換する、第５変換器と、
を更に備え、
前記表示部が、該第５変換器により取得された該色情報の値を表示する、項目３又は４に記載の装置。
【００９９】
項目１２．前記変換器により変換された複数の点の前記測光情報又は前記測色情報を含むデータに基づいて、該複数の点の該測光情報又は該測色情報の相対的関係を分析する、分析部を更に備え、前記表示部が、該分析部により取得された値を表示する、項目２〜１１のいずれか一項に記載の装置。
【０１００】
項目１３．複数の色の各々について測色情報及び識別値が関連付けられている参照情報を格納する、記憶部と、該参照情報を参照することによって、前記位置指定部により指定された前記画素について、前記変換器により取得された前記測色情報に最も近い測色情報に対応する色の識別値を抽出する、抽出部と、
を更に備え、前記表示部が、該抽出部により抽出された色の識別値を表示する、項目７〜１１のいずれか一項に記載の装置。
【０１０１】
項目１４．互いに通信することが可能な、撮像デバイス、変換デバイス、及び表示デバイスを含む、システムであって、
該撮像デバイスが、
画像の画像データを取得する撮像部と、
該撮像部により取得された該画像の該画像データ及び画像データの撮影情報を該変換デバイスに送信する送信部と、
を備え、
該変換デバイスが、
該画像データの撮影情報を使用して、該画像データを測光情報又は測色情報を含むデータに変換する、変換器と、
該撮像デバイスから該画像データ及び該撮影情報を受信し、該変換器により取得された該測光情報又は該測色情報を該表示デバイスへ送信する、通信部と、
を含み、
該表示デバイスが、
該測光情報又は該測色情報を該変換デバイスから受信する、受信部と、
該受信部が受信した該測光情報又は該測色情報を表示する、表示部と、
を含む、システム。
【０１０２】
項目１５．
撮像デバイスにより撮影された画像の画像データと、画像データの撮影情報を取得し、
該画像データを用いることにより、該画像データを、測光情報又は測色情報を含むデータに変換し、
該測光情報又は該測色情報を出力するよう、コンピューターに命令する、プログラム。
【０１０３】
上記の特定の実施形態は本発明の様々な態様の説明を容易にするように詳細に記載されているため、本発明は、上記の特定の実施例及び実施形態に限定されると見なされるべきではない。むしろ、本発明は、添付の特許請求の範囲及びそれらの均等物によって定義される本発明の趣旨及び範囲に収まる様々な修正、均等の過程、及び代替のデバイスを含む、本発明のすべての態様を包含することが理解されるべきである。
【図１】
2019174484.tif 000004
【図２】
2019174484.tif 000005
【図３】
2019174484.tif 000006
【図４】
2019174484.tif 000007
【図５】
2019174484.tif 000008
【図６】
2019174484.tif 000009
【図７】
2019174484.tif 000010
【図８】
2019174484.tif 000011
【図９】
2019174484.tif 000012
【図１０Ａ】
2019174484.tif 000013
【図１０Ｂ】
2019174484.tif 000014
【図１１】
2019174484.tif 000015
【図１２】
2019174484.tif 000016
【手続補正書】
【提出日】令和1年7月19日(2019.7.19)
【手続補正２】
【補正対象書類名】特許請求の範囲
【補正対象項目名】全文
【補正方法】変更
【補正の内容】
【特許請求の範囲】
【請求項１】
画像の画像データを取得する撮像部と、
画像データの撮影情報を使用して、該画像データを測光情報又は測色情報を含むデータに変換する、変換器と、
該変換器から取得した該測光情報又は該測色情報を出力する、出力部と、
を備える、装置であって、
前記変換器が、
前記撮像部により取得された前記画像の前記画像データを、相対輝度値を含むデータに変換する、第１変換器と、
前記画像データの撮影情報を使用して、該画像に含まれる対象物の参照輝度値を取得する、参照輝度値取得部と、
該参照輝度値を使用して、ガンマ補正によって該相対輝度値を絶対輝度値に変換する、第２変換器と、
を備える、装置。
【請求項２】
前記画像に含まれる画素の位置を指定する位置指定部を更に備え、
前記出力部が、該位置指定部により指定された画素に関して前記変換器によって取得された前記測光情報又は前記測色情報を表示する表示部であり、
前記表示部が、該第２変換器により取得された該絶対輝度値を表示する、
請求項１に記載の装置。
【請求項３】
前記第２変換器が、相対輝度値を線形尺度に変換することにより線形相対輝度値を取得し、該参照輝度値を使用して該線形相対輝度値を前記絶対輝度値に変換する、請求項２に記載の装置。
【請求項４】
前記表示部が、前記画像の各画素に対する前記絶対輝度値を、対象となっている該絶対輝度値が離散的に設定された複数の区分のいずれに属するかに応じて異なる色で表示する、請求項２に記載の装置。
【請求項５】
前記変換器が、前記撮影情報を使用して、前記撮像部により取得された前記画像の前記画像データに含まれる第１色空間の色情報を、第２色空間の色情報に変換する、第３変換器を備え、
前記表示部が、該第３変換器により取得された該第２色空間の該色情報の値を表示する、請求項２に記載の装置。
【請求項６】
前記変換器が、前記第３変換器により取得された前記第２色空間の前記色情報を、第３色空間に変換する、第４変換器を更に備え、
前記表示部が、該第４変換器により取得された該第３色空間の色情報の値を表示する、請求項５に記載の装置。
【請求項７】
前記変換器が、
前記撮影情報を使用して、前記撮像部により取得された前記画像の前記画像データに含まれる第１色空間の色情報を、第２色空間の色情報に変換する、第３変換器と、
該画像中の複数の点の各々について前記第２変換器により取得された前記絶対輝度値と、該第３変換器により取得された該第２色空間の該色情報とを、色外観モデルの第３色空間の色情報に変換する、第５変換器と、
を更に備え、
前記表示部が、該第５変換器により取得された該色情報の値を表示する、請求項２に記載の装置。
【請求項８】
前記変換器が、
前記撮影情報を使用して、前記撮像部により取得された前記画像の前記画像データに含まれる第１色空間の色情報を、第２色空間の色情報に変換する、第３変換器と、
該第３変換器により取得された該第２色空間の該色情報を、第３色空間に変換する、第４変換器と、
該画像中の複数の点の各々について前記第２変換器により取得された前記絶対輝度値と、該第４変換器により取得された該第３色空間の色情報とを、色外観モデルの第４色空間の色情報に変換する、第５変換器と、
を更に備え、
前記表示部が、該第５変換器により取得された該色情報の値を表示する、請求項２に記載の装置。
【請求項９】
前記変換器により変換された複数の点の前記測光情報又は前記測色情報を含むデータに基づいて、該複数の点の該測光情報又は該測色情報の相対的関係を分析する、分析部を更に備え、
前記表示部が、該分析部により取得された値を表示する、請求項２に記載の装置。
【請求項１０】
複数の色の各々について測色情報及び識別値が関連付けられている参照情報を格納する、記憶部と、
該参照情報を参照することによって、前記位置指定部により指定された前記画素について、前記変換器により取得された前記測色情報に最も近い測色情報に対応する色の識別値を抽出する、抽出部と、
を更に備え、
前記表示部が、該抽出部により抽出された該色の該識別値を表示する、請求項５に記載の装置。
【外国語明細書】
2019174484000001.pdf